(57)【要約】【課題】被測定者が血圧測定を行う前に、被測定者をリラックスした状態にして正確に血圧測定を行うことができる血圧計を提供する。【解決手段】被測定者の上腕に装着される腕帯部２と、腕帯部内を加圧する加圧手段１１０と、制御部１２０と、腕帯部２内の圧力を検出する圧力センサ１４０と、腕帯部２内の圧力を減圧する減圧手段１１１，１１２とを備え、圧力センサ１４０からの圧力信号を受けて制御部１２０により加圧手段と減圧手段を制御して血圧を測定する血圧計１であって、音楽データが記憶されている記憶部１５３と、制御部１２０の指示により腕帯部２内を加圧して被測定者の血圧を測定する前に記憶部１５３から音楽データが読み出されると被測定者に音楽を聞かせる報知部８５を備える。【選択図】図５
2013027632.tif 000002
【特許請求の範囲】
【請求項１】
被測定者の上腕に装着される腕帯部と、前記腕帯部内を加圧する加圧手段と、制御部と、前記腕帯部内の圧力を検出する圧力センサと、前記腕帯部内の圧力を減圧する減圧手段とを備え、前記圧力センサからの圧力信号を受けて前記制御部により前記加圧手段と前記減圧手段を制御して血圧を測定する血圧計であって、
音楽データが記憶されている記憶部と、
前記制御部の指示により、前記腕帯部内を加圧して前記被測定者の血圧を測定する前に前記記憶部から前記音楽データが読み出されると、前記音楽データに基づいて音楽を再生する報知部と
を備えることを特徴とする血圧計。
【請求項２】
前記記憶部は、前記被測定者の血圧を測定する前に、前記被測定者に対して深呼吸を示唆するための深呼吸示唆メッセージを記憶しており、
前記制御部の指示により、前記報知部は、前記被測定者の血圧を測定する前に、前記深呼吸示唆メッセージを前記被測定者に報知した後に前記被測定者に音楽を再生して聞かせる構成としたことを特徴とする請求項１に記載の血圧計。
【請求項３】
前記報知部は、前記制御部の指示により、前記被測定者が血圧を測定中にも、前記音楽データに基づいて音楽を再生する構成としたことを特徴とする請求項１または請求項２に記載の血圧計。
【請求項４】
前記被測定者に前記音楽を再生した後に前記被測定者の血圧測定を行うリラックスモードと、前記音楽の再生は行わずに前記被測定者の血圧測定を直接行う通常測定モードのいずれかを選択する機能選択部を有することを特徴とする請求項１ないし請求項３のいずれかに記載の血圧計。
【請求項５】
前記腕帯部は、血圧計本体とは別体になっており、
前記腕帯部は、前記上腕に装着された時に前記上腕を阻血する阻血用空気袋と、前記上腕に装着された時に対向位置になるように配置されたコロトコフ音検出用のコロトコフ音検出用空気袋とを収納し、前記阻血用空気袋とコロトコフ音検出用空気袋は、前記血圧計本体内に配置された前記加圧手段と前記減圧手段に対して接続されていることを特徴とする請求項１ないし請求項４のいずれかに記載の血圧計。
【請求項６】
前記報知部はスピーカであり、前記スピーカと、測定された前記血圧値を表示する表示部とは、前記血圧計本体に配置されていることを特徴とする請求項５に記載の血圧計。
【発明の詳細な説明】
【技術分野】
【０００１】
本発明は、血圧測定前に被測定者（使用者）が音楽を聞くことで、被測定者がリラックスした状態で血圧測定を行うことができる機能を有する血圧計に関する。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、被測定者が精神的に安定している家庭にて測定した血圧値に注目が集まっている。このため、この家庭での血圧測定に用いる電子血圧計が注目されている。
【０００３】
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋による上腕の圧迫が正しく行われず、血圧が高く測定される場合がある。近年、これを解決するために、筒状の腕帯部に腕を挿入するだけで、自動的に腕帯部の阻血用の空気袋を腕の正しい位置に配置し、正しい巻き付け強さにて血圧測定を行うことができるようにした血圧計本体と腕帯部を一体とした電子血圧計が開発されている（特許文献１を参照）。
【０００４】
しかし、被測定者が上記血圧計を使用すると、腕を挿入する腕帯部が血圧計本体と一体となっているので、血圧計本体の位置が被測定者の前方に離れていた場合には、被測定者は前かがみ状態での測定となり易い。このため、被測定者の腹部が圧迫されて腹圧が上昇し、その結果血圧が上昇する現象が見られる場合がある。この血圧上昇は、新たな擬似高血圧症の発生として指摘されている。
【０００５】
そこで、腕帯部が血圧計本体とは別体に形成されているものが提案されており、腕帯部は剛体のケースを有しており、このケース内に阻血用の空気袋が配置されている。これにより、被測定者が座位にて血圧測定する場合に、血圧計本体から腕帯部を分離できるので、上腕を腕帯部に挿入するだけで測定可能となる利便性を損なわず、血圧計本体の設置場所が被測定者から前方に離れていても、測定者が正しく、背を伸ばした状態にて腹圧の掛からない状態で血圧測定をすることが可能である。
【先行技術文献】
【特許文献】
【０００６】
【特許文献１】特開２００５―２３７４２７号公報
【発明の概要】
【発明が解決しようとする課題】
【０００７】
ところで、被測定者が上述した血圧計により血圧測定する際に、被測定者が例えば精神面で緊張した状態であって被測定者の気分がリラックスした状態でないと、測定した血圧測定値が本来のリラックスした状態での血圧測定値に比べて上昇してしまい、正しい血圧測定結果が得られないという問題がある。
そこで、本発明は、被測定者が血圧測定を行う前に、被測定者をリラックスした状態にして正確に血圧測定を行うことができる血圧計を提供することを目的とする。
【課題を解決するための手段】
【０００８】
本発明の血圧計は、被測定者の上腕に装着される腕帯部と、前記腕帯部内を加圧する加圧手段と、制御部と、前記腕帯部内の圧力を検出する圧力センサと、前記腕帯部内の圧力を減圧する減圧手段とを備え、前記圧力センサからの圧力信号を受けて前記制御部により前記加圧手段と前記減圧手段を制御して血圧を測定する血圧計であって、音楽データが記憶されている記憶部と、前記制御部の指示により、前記腕帯部内を加圧して前記被測定者の血圧を測定する前に前記記憶部から前記音楽データが読み出されると、前記音楽データに基づいて音楽を再生する報知部とを備えることを特徴とする。
上記構成によれば、被測定者が血圧測定を行う前に、被測定者を精神的にリラックスした状態にして正確に血圧測定を行うことができる。すなわち、制御部の指示により、腕帯部内を加圧して被測定者の血圧を測定する前に、記憶部から音楽データが読み出された音楽データに基づいて、報知部は被測定者に対してリラックス用の音楽を聞かせることができるので、被測定者を精神的にリラックスした状態にして安静な状態を実現して血圧の降圧を図るので、正確な血圧測定が行える。
【０００９】
好ましくは、前記記憶部は、前記被測定者の血圧を測定する前に、前記被測定者に対して深呼吸を示唆するための深呼吸示唆メッセージを記憶しており、前記制御部の指示により、前記報知部は、前記被測定者の血圧を測定する前に、前記深呼吸示唆メッセージを前記被測定者に報知した後に前記被測定者に音楽を再生して聞かせる構成としたことを特徴とする。
上記構成によれば、被測定者に対して、深呼吸をすることを促すことができ、被測定者はこの深呼吸示唆メッセージに従って任意の回数深呼吸動作をすることで、被測定者は精神的にリラックス状態に進むことができる。被測定者による深呼吸することを促すことと、被測定者を精神的にリラックスした状態にするために被測定者が深呼吸し易い楽曲を被測定者に聞かせることにより、被測定者は血圧測定を行う前に、リラックス状態に移行して安静の実現を図り、血圧の降圧を実現して、自律神経安定化の実現を図ることができる。
【００１０】
好ましくは、前記報知部は、前記制御部の指示により、前記被測定者が血圧を測定中にも、前記音楽データに基づいて音楽を再生する構成としたことを特徴とする。
上記構成によれば、血圧を測定中においても、被測定者は音楽を聞きながらリラックス状態を維持することができるので、安静の実現を図り、血圧の降圧を実現して、自律神経安定化の実現を図り、正確な血圧測定が行える。
好ましくは、前記被測定者に前記音楽を再生した後に前記被測定者の血圧測定を行うリラックスモードと、前記音楽の再生は行わずに前記被測定者の血圧測定を直接行う通常測定モードのいずれかを選択する機能選択部を有することを特徴とする。
上記構成によれば、被測定者は、リラックスを必要とする場合にはリラックスモードを用い、そうでない場合には通常測定モードを選択して血圧測定ができる。
【００１１】
好ましくは、前記腕帯部は、血圧計本体とは別体になっており、前記腕帯部は、前記上腕に装着された時に前記上腕を阻血する阻血用空気袋と、前記上腕に装着された時に対向位置になるように配置されたコロトコフ音検出用のコロトコフ音検出用空気袋とを収納し、前記阻血用空気袋とコロトコフ音検出用空気袋は、前記血圧計本体内に配置された前記加圧手段と前記減圧手段に対して接続されていることを特徴とする。
上記構成によれば、腕帯部と血圧計本体が別体であることから、上腕を腕帯部に挿入するだけで測定可能となる利便性を損なわず、血圧計本体の設置場所が被測定者から前方に離れていても、測定者が正しく、背を伸ばした状態にて腹圧の掛からない状態で血圧測定できる。
【００１２】
好ましくは、前記報知部はスピーカであり、前記スピーカと、測定された前記血圧値を表示する表示部とは、前記血圧計本体に配置されていることを特徴とする。
上記構成によれば、スピーカと表示部がともに血圧計本体に配置されていることから、被測定者は音楽を血圧計本体側のスピーカから聞きながらリラックスした状態で正確に血圧測定を行うことができ、得られた血圧測定結果は血圧計本体側の表示部を目視するだけで容易に確認できる。
【発明の効果】
【００１３】
本発明は、被測定者が血圧測定を行う前に、被測定者をリラックスした状態にして正確に血圧測定を行うことができる血圧計を提供することができる。
【図面の簡単な説明】
【００１４】
【図１】本発明の血圧計の実施形態の全体を示す斜視図である。
【図２】図２（Ａ）は、図１に示す血圧計の血圧計本体を左後ろ側から見た斜視図である。図２（Ｂ）は、図１に示す血圧計の血圧計本体を右後ろ側から見た斜視図である。
【図３】図３（Ａ）は、腕帯部の内部構造例を示す断面図であり、図３（Ｂ）は、腕帯部を折り畳んだ状態を示す正面図であり、図３（Ｃ）は、腕帯部を折り畳んだ状態を示す斜視図である。
【図４】折り畳まれた腕帯部が筐体部の背面側に保持部を用いて着脱可能に収納される様子を示す側面図である。
【図５】本発明の血圧計の実施形態の電気的な構成例を示すブロック図である。
【図６】血圧計の血圧測定動作例を示す図である。
【図７】本発明の血圧計の実施形態の使用動作例を示すフロー図である。
【図８】本発明の別の実施形態を示す図である。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の血圧計の実施形態の全体を示す斜視図である。図２（Ａ）は、図１に示す血圧計の血圧計本体を左後ろ側から見た斜視図である。図２（Ｂ）は、図１に示す血圧計の血圧計本体を右後ろ側から見た斜視図である。
【００１６】
図１と図２に示す血圧計１は、血圧計の好ましい一例を示しており、電子血圧計とも言う。この血圧計１では、腕帯部２と血圧計本体１０は別体になっており、図１と図２に示す血圧計本体１０から図１に示す腕帯部２を分離して使用する。これにより、この血圧計１は、腕帯部と本体部が一体となった一体型血圧計と違い、被測定者が座位にて測定する時に、血圧計本体１０の設置場所が被測定者から前方に離れていても、腕帯部２を上腕Ｔに装着することで、背を伸ばして腹圧の掛からない状態で血圧測定が可能である。
【００１７】
図１に示す腕帯部２はカフともいい、腕帯部２は一定（所定）の外周長さを有しており、折り畳み可能で柔らかな材質で作られた切れ目の無いソフトな筒体であり、２つの開口部１１Ｐ、１１Ｒを有している。
図１に示すように、被測定者の上腕Ｔに腕帯部２を装着すると、開口部１１Ｐは手指側に位置され、反対側の開口部１１Ｒは肩側に位置される。開口部１１Ｒの内径は、開口部１１Ｐの内径よりも大きい。これにより、被測定者の手指は、開口部１１Ｒ側から開口部１１Ｐにかけて容易に挿入することができ、腕帯部２は、被測定者の肘よりも上の上腕Ｔに保持して血圧を測定するようになっている。
【００１８】
図１に示すように、腕帯部２は、上腕Ｔを阻血するための阻血用空気袋１４と、Ｋ音（コロトコフ音）信号を検出するための２つのＫ音検出用空気袋５０を内蔵している。
この阻血用空気袋１４は、血圧計本体１０側からエアを供給することにより上腕Ｔの動脈を加圧して阻血する。阻血用空気袋１４の空気収容容量は、Ｋ音検出用空気袋５０の空気収容容量に比べて大きい。図１に示すように、２つのＫ音検出用空気袋５０は、腕帯部２が上腕Ｔに装着された状態では、上腕Ｔを挟むようにして対向位置になるように配置されている。これらのＫ音検出用空気袋５０はＫ音を検出するための空気袋であり、Ｋ音は、腕帯部２の阻血用空気袋１４の内圧を最高血圧以上に上げて血管を一旦圧閉した後、内圧を徐々に下げて内圧が最高血圧以下になり、血管が開き始めると発生し、内圧が最低血圧以下になり、血管の圧閉が消失するまでの間検出できる音信号である。
【００１９】
図１に示すように、腕帯部２と血圧計本体１０とは、エアチューブ４，５とエアプラグ６を介して接続されている。エアチューブ４，５は、好ましくは複胴管（複導管ともいう）を構成しているフレキシブルなエラストマチューブである。エアチューブ４，５は、全長に渡って（あるいはほぼ全長に渡って）一体的に形成されている。第１エアチューブとしてのエアチューブ４は、腕帯部２の阻血用空気袋１４へのエアの給排気に用いられ、第２エアチューブとしてのエアチューブ５は、Ｋ音信号を検出する２つのＫ音検出用空気袋５０へのエアの給排気に用いられる。エアチューブ４はエアチューブ５に比べてより太いチューブであり、エアチューブ４の内径と外径は、エアチューブ５の内径と外径に比べて大きく設定されている。これにより、エアチューブ４は空気容量の大きい阻血用空気袋１４に対するエアの給排気を迅速に行える。
【００２０】
図１と図３を参照して、腕帯部２の構造例を説明する。
図３（Ａ）は、腕帯部２の内部構造例を示す断面図であり、図３（Ｂ）は、腕帯部２を折り畳んだ状態を示す正面図であり、図３（Ｃ）は、腕帯部２を折り畳んだ状態を示す斜視図である。
図１と図３に示すように、腕帯部２は、外周方向に沿っては切れ目のない筒状の部材であり、所定（一定）の長さの外周を有していて、この腕帯部２の中に被測定者の上腕Ｔを通すことができるようになっている。図３（Ｂ）と図３（Ｃ）に示すように、腕帯部２は被測定者が簡単に折り畳むことができる柔軟性を有し、図１と図３（Ａ）に示すように、例えば外布１６と、内布１７と、上腕Ｔを阻血するための阻血用空気袋１４と、Ｋ音信号を検出する２つのＫ音検出用空気袋５０を有している。
【００２１】
図３（Ａ）に示すように、外布１６の内側面と内布１７の外側面は、阻血用空気袋１４と２つのＫ音検出用空気袋５０を包んでおり、外布１６と内布１７は、阻血用空気袋１４と２つのＫ音検出用空気袋５０が収納可能なド−ナツ状の空間を作るために、外布１６の端部と内布１７の両端部は、例えば縫製により接合している。なお、図３（Ａ）に例示するように、２つのＫ音検出用空気袋５０は、好ましくは腕帯部２の長手方向（軸方向）の中間位置よりも開口部１１Ｐ側寄りの位置（肩側寄りではなく、手指より側の位置）に配置するのが良い。このようにすることで、２つのＫ音検出用空気袋５０のいずれかを上腕Ｔの動脈に対応する部分に当てることができる。これにより、簡単な構成でありながら、上腕Ｔを確実に加圧して動脈を阻血して、そしてＫ音検出用空気袋５０によりＫ音を検出できる。
【００２２】
図３（Ａ）に示す外布１６は、阻血用空気袋１４の外面を覆う筒体でなり、円周方向及び長手方向に非伸縮性の材料で形成されており、変形可能であるが伸縮性が非常に低いかほとんど無い布部材である。これにより、外布１６は、阻血用空気袋１４と２つのＫ音検出用空気袋５０内にエアを供給した際に、阻血用空気袋１４と２つのＫ音検出用空気袋５０が腕帯部２の半径方向の外側に膨れないようにすることができ、阻血用空気袋１４と２つのＫ音検出用空気袋５０は半径方向の内側である上腕Ｔ側に膨れることになる。このため、阻血用空気袋１４と２つのＫ音検出用空気袋５０の圧力は、腕帯部２の外側へは逃げずに上腕に対して加圧でき、正確な血圧測定をすることができる。
【００２３】
図３（Ａ）に示す外布１６は、例えば伸びにくい生地（２０１ＢＥ）を採用でき、引張強度は、ＪＩＳ  Ｌ１０９６−Ａ法で測定した値として、タテが１４３０Ｎ／ｉｎ〜１４６０Ｎ／ｉｎで、ヨコが８１０Ｎ／ｉｎ〜８５０Ｎ／ｉｎである。さらには、タテが１４３０Ｎ／ｉｎ〜１４６０Ｎ／ｉｎで、ヨコが８１０Ｎ／ｉｎ〜８５０Ｎ／ｉｎであることが好ましい。タテとヨコともに、この数値範囲よりも小さいと阻血用空気袋１４の外側への膨らみの抑制が弱くなり、また、この数値範囲よりも大きいと上腕Ｔの挿入に影響が出る可能性がある。外布１６としては、例えば、ポリエステル１００％の生地を用いると、タテが１４４５Ｎ／ｉｎで、ヨコが８２７Ｎ／ｉｎである。
【００２４】
一方、図３（Ａ）に示す内布１７は、阻血用空気袋１４と２つのＫ音検出用空気袋５０の内面を覆う筒体でなり、変形可能で伸縮性を有し、上腕Ｔの被測定面に当接する当接布部である。内布１７は、弾性を備えていてしかも伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。内布１７は、阻血用空気袋１４と２つのＫ音検出用空気袋５０が上腕Ｔの被測定面に向けて膨張できるように伸縮性を持たせた素材にて、かつ、腕帯部２を被測定者の手先から挿入して、肘の上部の上腕Ｔまでスライドさせて装着させる必要があるので、スベリの良い材質、例えば、ジャ−ジ素材を使用している。
【００２５】
図１と図３（Ａ）〜図３（Ｃ）に示すように、開口閉鎖部材３０は、腕帯部２の内部において、開口部１１Ｐ側であってしかもエアチューブ４とエアチューブ５が導出（接続）されている側に設けられている。この開口閉鎖部材３０は、例えば着脱可能な面ファスナーを用いることができ、面ファスナーのオス部材３１とメス部材３２を有している。オス部材３１とメス部材３２は、腕帯部２の内側において対面する位置に固定されており、図３（Ｂ）と図３（Ｃ）に示すように、オス部材３１とメス部材３２を着脱可能に連結することにより、腕帯部２の開口部１１Ｐ側だけを閉じて、開口部１１Ｒは開放した状態に維持することができる。
【００２６】
これにより、腕帯部２に対して開口閉鎖部材３０を設けることで、被測定者が腕帯部２に対して手先を通して血圧測定をしようとする際に、閉じている開口部１１Ｐ側からは手先を通すことが無く、開いている開口部１１Ｒ側から迷わずに手先を通すことができる。このため、被測定者が腕帯部２に対して誤って手先を開口部１１Ｐ側から逆挿入してしまうことを防止することができる。もし、被測定者が腕帯部２に対して開口部１１Ｐ側から逆挿入してしまうと、Ｋ音検出用空気袋５０が上腕Ｔの動脈に適切に当たらなくなり、正確に血圧測定ができなくなる。また、腕帯部２に対して開口閉鎖部材３０を設けることで、腕帯部２を使用しない時に折り畳むのが容易にできる。
【００２７】
図１と図３に示すように、腕帯部２は、好ましくは方向視認用部材であるタグ３３を有している。このタグ３３は、開口部１１Ｒ側であって、外布１６に対して例えば接着剤を用いるか、縫製により固定されている。タグ３３は、腕帯部２の開口部１１Ｒ側の端部からＶ方向に沿って突出して設けられており、例えば布部材あるいはプラスチック部材により作ることができる。図３（Ａ）に示すように、被測定者が例えば腕帯部２に左腕を挿入して血圧測定をする際には、タグ３３を右腕の指Ｆでつかんで腕帯部２をＶ方向に移動することができる。このタグ３３には、好ましくは「肩側」表示３３Ｓを表記することができる。
【００２８】
これにより、被測定者は、このタグ３３をつかんでＶ方向に移動するだけで上腕Ｔに対して腕帯部２の装着動作が容易にできるばかりでなく、腕帯部２の装着方向が明確になるので、開口部１１Ｒ側から迷わずに手先を通すことができる。このため、被測定者が腕帯部２に対して誤って手先を開口部１１Ｐ側から逆挿入してしまうことを防止することができる。すなわち、エアチューブ４，５側の開口部１１Ｐだけを閉じることができるので、被測定者が上腕に対して誤って逆方向に装着することを容易に防止でき、被測定者が上腕Ｔに対して正しい方向に装着することができる。
【００２９】
次に、図１と図２を参照して、血圧計本体１０の構造例について説明する。
図１と図２に示すように、血圧計本体１０は、筐体部６０と、表示面部６１と、腕帯部２の保持部６２を有している。筐体部６０と表示面部６１と保持部６２は、電気絶縁性を有する材料、例えばプラスチックにより作られている。表示面部６１は、筐体部６０の前面側に設けられ、被測定者が表示部６３に表示される表示内容が見やすいように傾斜されており、この表示面部６１の傾斜角度θが例えば６０度程度に設定されている。
【００３０】
図２（Ａ）と図２（Ｂ）に示すように、筐体部６０は、側面部６８，６９と、背面６６と、破線で示す長方形状の前面側開口部７０と、筐体部６０から突出して設けられた上面部７１と、底部７２を有している。
図１に示すように、表示面部６１は、表示部６３と、透明な例えばアクリル板のような保護板６４と、枠状の保持部材６５を有している。表示部６３は保持部材６５により保持され、保護板６４は保持部材６５に固定されて表示部６３の表面を保護している。この保持部材６５は、筐体部６０の破線で示す前面側開口部７０に対して着脱可能に装着されている。この保持部材６５を筐体部６０から取り外すことにより、筐体部６０の破線で示す前面側開口部７０を通じて筐体部６０の内部を露出させることができる。これにより、筐体部６０内に配置されている回路基板等の修理や交換を容易に行うことができる。
【００３１】
図２に示すように、腕帯部の保持部６２は、筐体部６０の背面側に着脱可能に取り付けられている。これにより、保持部６２が不要の場合には、筐体部６０から取り外すことができる。図４には、折り畳まれた腕帯部２が筐体部６０の背面６６側に保持部６２を用いて着脱可能に収納される様子を示している。
図２に示すように、腕帯部の保持部６２は、保持面６２Ａと脚部６２Ｂを有している。筐体部６０の下部側には、差込口６７が形成されている。脚部６２Ｂの先端部６２Ｃは、この差込口６７に挿入されることにより、腕帯部の保持部６２は、筐体部６０の背面６６側に着脱可能に取り付けることができる。保持面６２Ａと筐体部６０の背面６６の間には、折り畳まれた腕帯部２を着脱可能に収納することができる。これにより、被測定者が腕帯部２を使用しない場合には、折り畳まれた腕帯部２を保持面６２Ａと筐体部６０の背面６６の間に、容易にしかも確実に収納することができる。
【００３２】
このように、被測定者が血圧測定しない場合に、腕帯部２が筐体部６０の背部側に保持されるので、被測定者は、腕帯部２により邪魔されることなく、図１の表示部６３の表示内容例えば時間や室温等を目視で確認できる。このため、被測定者は、表示部６３の表示温度を目視することで、血圧測定に適した温度(環境温度)であるか否か容易に確認できる。
被測定者が血圧測定しない場合に、腕帯部２が筐体部６０の背部側に保持されるので、血圧計１の見栄えを良くすることができる。このため、血圧計本体１０は、使用しない時には例えば時計としてリビングルーム等に飾っておくことができる。
【００３３】
図２（Ａ）に示すように、筐体部６０の側面部（筐体部６０の正面に向かって左側側面部）６８の下部位置には、Ｏ−リング(不図示)を備えたエアプラグ差込口７３が形成されている。このエアプラグ差込口７３には、エアプラグ６が着脱可能に装着できる。エアプラグ差込口７３は、エアプラグ６の形状に合わせて、直線状の上部分７３Ａの幅ｄ１は、半円形状の下部分７３Ｂの幅ｄ２に比べて大きく設定されている。エアプラグ差込口７３の内部には、差し込み穴７３Ｇ、７３Ｈを有している。
エアプラグ６は例えばプラスチックにより作られており、図２（Ａ）に示すように、筐体６Ａと、接続筒部６Ｂ、６Ｃと、接続ガイド部６Ｆを有する。接続筒部６Ｂ、６Ｃは、筐体６Ａの一方の面から平行に突出して形成されている。これらの接続筒部６Ｂ、６Ｃは、エアプラグ差込口７３の差し込み穴７３Ｇ、７３Ｈにそれぞれ着脱可能に挿入される。接続ガイド部６Ｆの上部分は、図２（Ａ）に示すエアプラグ差込口７３の上部分７３Ａに案内して挿入され、接続ガイド部６Ｆの下部分は、図２（Ａ）に示すエアプラグ差込口７３の下部分７３Ｂに案内して挿入されるようになっている。
【００３４】
これにより、エアプラグ６は、エアプラグ差込口７３に対して上下逆に装着されることを防止しており、血圧計本体１０側から阻血用空気袋１４と２つのＫ音検出用空気袋５０に対して逆にエア供給されることはない。なお、エアプラグ６に接続される腕帯部２は、複数のサイズ、例えば、大、中、小の３サイズがあり、使用者の上腕の大きさに合わせて最も適合したものを選択できるようになっている。
エアプラグ６は、血圧計本体１０の正面側ではなく側面側に設けることで、駆動ポンプ１１０が万一暴走して異常に腕帯部２が加圧された場合でも、複雑な電子回路や異常時のスイッチを設けたりすることなく、被測定者がエアプラグ６を引き抜くことでエアの供給を断絶できることから、腕帯部２の異常加圧を極めて容易に回避できる。
【００３５】
図２に示す、筐体部６０の側面部（エアプラグ差込口７３が形成された側面部６８とは反対側）６９には、図２（Ｂ）に示すように、スピーカ８５と、ＡＣアダプタを接続するための接続穴８６が設けられている。この接続穴８６には、ＡＣアダプタ８７の接続ジャック８７Ａが接続されることで、血圧計本体１０には商用電源から電源供給できる。図２（Ｂ）に示す接続穴８６は、図２（Ａ）に示すエアプラグ差込口７３とは、設けられている配置位置も大きさも形状も全く異なる。これにより、エアプラグ６を接続穴８６に対して間違えて差し込むことを防止することができる。
図２（Ａ）に示すように、筐体部６０の上面に突出して設けられた上面部７１には、筐体部６０の正面に向かって、右側から、開始／停止スイッチ８８、機能選択キー４００等の各種の操作ボタンが並べて配置されている。
【００３６】
図５は、図１に示す血圧計１のブロック構成図である。
図５に示すように、腕帯部２の阻血用空気袋１４は、エアチューブ４を通じて、血圧計本体１０内のエアフィルタ１３０、圧力検出部（圧力センサ）１４０、２つの駆動ポンプ１１０、制御バルブ１１１、そして排気バルブ１１２に接続されている。Ｋ音信号を検出するＫ音検出用空気袋５０は、エアチューブ５を通じて、血圧計本体１０内のコンデンサマイクロフォン１２５に接続されている。圧力検出部（圧力センサ）１４０は、腕帯部２内の圧力を検出する。Ｋ音検出用空気袋５０は、図５に示すように２つ（上腕に腕帯部を装着したときに円周方向で対向位置になる）設けることで、Ｋ音を的確に検出できるが、Ｋ音検出用空気袋５０の採用は１つであってもよい。
【００３７】
図５に示す２つの駆動ポンプ１１０は、腕帯部２内の阻血用空気袋１４と２つのＫ音検出用空気袋５０にエアを供給して腕帯部２内の上腕を加圧する加圧手段である。このように、２つの駆動ポンプ１１０を用いるのは、腕帯部２のサイズが大きい場合には、２つの駆動ポンプを駆動させ、腕帯部２のサイズが小さい場合には、１つの駆動ポンプを駆動させて、阻血用空気袋１４と２つのＫ音検出用空気袋５０にエアを供給できるようにするためである。
一方、制御バルブ１１１と排気バルブ１１２は、腕帯部２内の阻血用空気袋１４と２つのＫ音検出用空気袋５０内のエアを抜いて加圧した上腕を減圧する減圧手段である。図５の駆動部１５０は、制御部１２０の指令により２つの駆動ポンプ１１０を駆動し、駆動部１５１は、制御部１２０の指令により制御バルブ１１１と排気バルブ１１２を駆動する。
図５に示す制御部１２０は、表示部６３に指令を与えて、例えば図１に示すような温度表示、時刻表示、最高血圧、最低血圧等の必要とされる表示内容を表示させる。制御部１２０には、記憶部１５３とデータメモリ１５４が接続されている。表示部６３としては、液晶表示装置や有機ＥＬ装置等を採用できる。制御部１２０は、マイクロコンピュータを含み、装置全体の制御プログラムや各種データを記憶するＲＯＭとワークエリアとして測定データや各種データを一時的に記憶するＲＡＭなどを備えている。
【００３８】
図５の血圧計本体１０では、血圧を測定する前に、被測定者をリラックス状態にさせるために被測定者に聞かせる音楽を発生するための測定前音楽発生モードと、そして血圧を測定中に被測定者をリラックス状態にさせるために被測定者に聞かせる音楽を発生するための測定中音楽発生モードと、を備えている。
これらの測定前音楽発生モードで発生する音楽データと測定中音楽発生モードで発生する音楽データは、音楽データを記憶する記憶部１５３に予め記憶されている。すなわち、記憶部１５３には、血圧を測定する前に被測定者に対してリラックスのために流す音楽データと、血圧を測定中に被測定者に対して行うべき音声ガイダンス内容と例えば軽音楽等の音楽データと、が予め記憶されている。
【００３９】
図５に示す制御部１２０は、測定前音楽発生モードでは、血圧を測定する前に、被測定者をリラックス状態にさせるために被測定者に聞かせる音楽を、スピーカ８５を通じて流すことで、被測定者に精神的にリラックスさせるためのリラックス音楽を聞かせることができる。しかも、制御部１２０は、測定前音楽発生モードでは血圧を測定する前に、スピーカ８５を通じて被測定者に対して、被測定者をリラックス状態にさせるために、音楽を聞かせる前の段階で、例えば「深呼吸をしてください」という深呼吸示唆メッセージを報知することができるようになっている。
同様にして、制御部１２０は、測定中音楽発生モードでは、血圧を測定中に、被測定者に対して行うべき音声ガイダンス内容と、例えば軽音楽等の音楽データとを、スピーカ８５を通じて流すことで、被測定者に精神的にリラックスさせるためのリラックス音楽と必要に応じて音声ガイダンス内容を聞かせることができる。ここで、血圧測定中に報知される音声ガイダンス内容例としては、最低血圧値と最高血圧値を測定開始する際に、スピーカ８５が、例えば「最低血圧値と最高血圧値を測定しています」を流すことができるようになっている。
【００４０】
図５に示すデータ用メモリ１５４には、血圧測定に必要な一連の動作を行うためのプログラムが記憶されており、制御部１２０はこのプログラムに従って、血圧測定動作を実施する。
図５では、開始／停止スイッチ８８と機能選択部としての機能選択キー４００が、制御部１２０に電気的に接続されている。
被測定者が開始／停止スイッチ８８を押した後、被測定者が図２に示す機能選択キー４００を押すと、機能選択信号ＳＳあるいは機能選択信号ＳＳ１が制御部１２０に送られることで測定モードを選択することができる。測定モードとしては、図７のステップＳ１に示すリラックスモードＲＭと、ステップＳ２０に示す通常測定モードＮＭがある。
リラックスモードＲＭとは、血圧測定を行う前、すなわち図１に示すように腕帯２により上腕Ｔを加圧する前に、被測定者が音楽データのメロディを聞くことで、被測定者をリラックスした状態にすることができるモードである。これに対して、通常測定モードＮＭは、リラックスモードＲＭのように音楽データのメロディを血圧測定前に予め被測定者に聞かせることはなく、直ちに血圧測定を行うモードである。
【００４１】
図５において、被測定者が開始／停止スイッチ８８を押した後、被測定者が機能選択キー４００を短く１回押して機能選択信号ＳＳが制御部１２０に送られると、制御部１２０はリラックスモードＲＭを選択でき、被測定者が機能選択キー４００を時間的に長押しして機能選択信号ＳＳ１が制御部１２０に送られると、制御部１２０は通常測定モードＮＭを選択することができるようになっている。
図５のスピーカ８５は、リラックス用の音楽や音声ガイダンス内容を報知するための報知部の一例であり、フィルタ１６４を介して制御部１２０に電気的に接続されている。電源コントロール部１６０は、電池９３とＡＣアダプタ８７に電気的に接続され、所定の直流電圧を制御部１２０に供給する。電源コントロール部１６０、Ｋ音アンプ１６１、ＯＳＣアンプ１６２が、制御部１２０に電気的に接続されている。
【００４２】
図５に示すＫ音アンプ１６１は、マイクロフォンの好ましい１例であるコンデンサマイクロフォン１２５により検出したＫ音を増幅して制御部１２０に供給する。コンデンサマイクロフォン１２５とＫ音アンプ１６１の間には、音楽ノイズ除去フィルタ７００が電気的に接続されている。
この音楽ノイズ除去フィルタ７００は、コンデンサマイクロフォン１２５に入った音の中から、Ｋ音を通し、Ｋ音以外の音楽をノイズとして除去するためのフィルタである。すなわち、コンデンサマイクロフォン１２５に入力されたＫ音の周波数範囲と、スピーカ８５が発生する音楽の周波数範囲から、この音楽の周波数範囲をノイズとして除去して、Ｋ音の周波数範囲だけをＫ音アンプ１６１側に通すようになっている。これにより、スピーカ８５が発生するリラックス用の音楽がＫ音検出の障害になることが無く、Ｋ音を正確に検出することができ、正確な血圧測定が実現できる。
【００４３】
なお、図６を参照すると、図５の血圧計１による血圧動作では、制御部１２０が指令すると、図５の制御バルブ１１１と２つの駆動ポンプ１１０を作動して、図５に示す阻血用空気袋１４にエアを供給して上腕を、図６に示す時点ｔ１まで加圧して、その後制御バルブ１１１が作動して阻血用空気袋１４内のエア圧を傾きが一定になるように減圧させていく。この減圧させる途中では制御部１２０は、最高血圧と最低血圧を検出して、その後排気バルブ１１２を作動して阻血用空気袋１４と２つのＫ音検出用空気袋５０内のエアを抜くようになっている。
【００４４】
次に、上述した構成を有する血圧計１の使用動作例を、図７を参照して説明する。
図７は、血圧計１の使用動作例を示すフロー図である。
被測定者は血圧測定操作を開始する前に、図１に示すように、予め被測定者の上腕Ｔに腕帯部２を装着して、開口部１１Ｐは手指側に位置され、反対側の開口部１１Ｒは肩側に位置されている。被測定者の手指は、開口部１１Ｒ側から開口部１１Ｐにかけて挿入することで、腕帯部２は、被測定者の肘よりも上の上腕Ｔに保持して血圧の測定準備をする。この際、２つのＫ音検出用空気袋５０は、好ましくは腕帯部２の長手方向（軸方向）の中間位置よりも開口部１１Ｐ側寄りの位置（肩側寄りではなく、手指より側の位置）に配置するので、２つのＫ音検出用空気袋５０のいずれかを上腕Ｔの動脈に対応する部分に当てることができる。これにより、Ｋ音検出用空気袋５０は動脈からＫ音を正確に得ることができる。
【００４５】
被測定者が、被測定者が開始／停止スイッチ８８を押した後、ステップＳ０において図２に示す機能選択キー４００を押すと、測定モードを選択することができる。測定モードとしては、ステップＳ１に示すリラックスモードＲＭと、ステップＳ２０に示す通常測定モードＮＭを有している。被測定者が機能選択キー４００を時間的に短く１回押すと、ステップＳ１に示すリラックスモードＲＭを選択でき、被測定者が機能選択キー４００を続けてある一定時間以上長押しすると、ステップＳ２０に示す通常測定モードＮＭを選択することができる。
【００４６】
まず、被測定者が、ステップＳ０において、図２に示す機能選択キー４００を時間的に短く１回押して、ステップＳ１のリラックスモードＲＭを選択すると、ステップＳ１からステップＳ２に進む。ステップＳ２では、図５の制御部１２０は、スピーカ８５を通じて被測定者に対して、「深呼吸をしてください」という深呼吸示唆メッセージを報知する。
これにより、被測定者に対して、深呼吸をすることを促すことができ、被測定者はこの深呼吸示唆メッセージに従って任意の回数深呼吸動作をすることで、被測定者は精神的にリラックス状態に進むことができる。被測定者による深呼吸することを促すことと、被測定者を精神的にリラックスした状態にするために被測定者が深呼吸し易い楽曲を被測定者に聞かせることにより、被測定者は血圧測定を行う前に、リラックス状態に移行して安静の実現を図り、血圧の降圧を実現して、自律神経安定化の実現を図ることができる。
【００４７】
そして、制御部１２０は、深呼吸示唆メッセージを報知した後、ステップＳ３では、任意の一定時間、例えば１分間、任意のリラックス促進用の音楽を、スピーカ８５を通じて被測定者に対して流す。
このリラックス促進用の音楽のメロディは、被測定者をリラックスした状態にするために被測定者が深呼吸し易い楽曲を採用しており、例えば「ブラームスの子守唄」を採用することができる。
被測定者が深呼吸し易い楽曲としての「ブラームスの子守唄」は、一定時間、例えば１分間に全１６小節で完結して、２小節毎に１呼吸（吸気＋排気）のリズムをもたらすもので、結果的に被測定者は１分間に８回の深呼吸が行え、チェロを主体とした低音域６０〜１００Ｈｚでリラックスできる楽曲である。
このリラックス用の音楽を再生するための一定時間は、１分間に限らず例えば１分ないし１分３０秒であっても良く、任意に選択することができる。被測定者をリラックスした状態にするために被測定者が深呼吸し易い楽曲としては、上述した「ブラームスの子守唄」に限定されず、例えば「シューベルトのアベマリア」等であっても良い。
【００４８】
これにより、ステップＳ２において被測定者による「深呼吸」を促すことと、ステップＳ３において被測定者をリラックスした状態にするために被測定者が深呼吸し易い楽曲を被測定者に聞かせることにより、被測定者は血圧測定をステップＳ４からステップＳ１１に従って行う前に、リラックス状態に移行して安静の実現を図り、血圧の降圧を実現して、自律神経安定化の実現を図ることができる。
上述したように、図７のステップＳ２において被測定者による「深呼吸」を促すことと、ステップＳ３において被測定者をリラックスした状態にするために、被測定者が深呼吸し易い楽曲を被測定者に聞かせた後に、次に説明する図７のステップＳ４からステップＳ１３に示すように、図１に示すように血圧計１を用いて自動的に血圧測定を行い、しかも血圧計本体１の表示部６３には血圧測定結果を表示することができる。
【００４９】
図７のステップＳ４では、図１の血圧計１により血圧測定の動作が開始され、上腕Ｔに装着された腕帯部２を所定の加圧速度で加圧して通常の血圧測定を行う。このように血圧を測定するために腕帯部２を加圧開始すると、ステップＳ５では、図５の制御部１２０は、スピーカ８５を通じて、さらに被測定者に対してリラックスできる音楽データを再生して流す。これにより、被測定者は、ステップＳ４からステップＳ１１における血圧測定動作の際に音楽を聞くことができるので、被測定者はリラックス状態を保つことができ、正確な血圧測定を実施できることになる。つまり、血圧を測定中においても、被測定者は音楽を聞きながら精神的なリラックス状態を維持することができるので、安静の実現を図り、血圧の降圧を実現して、自律神経安定化の実現を図り、正確な血圧測定が行える。
【００５０】
図７のステップＳ６では、図５の制御部１２０は、制御バルブ１１１と２つの駆動ポンプ１１０を作動させて、阻血用空気袋１４にエアを供給して、上腕を図６の時点ｔ１まで加圧する。この加圧の際にステップＳ７において脈が消失すると、ステップ８では、加圧を停止して、ステップＳ９では、制御部１２０は制御バルブ１１１を作動して阻血用空気袋１４内のエア圧を傾きが一定になるように減圧させていく。
そして、ステップＳ１０では、この減圧させる途中では、図５に示すコンデンサマイクロフォン１２５は、コロトコフ音（Ｋ音）を検出することで最高血圧値（収縮期血圧）と最低血圧値(拡張期血圧)を決定する。最高血圧値と最低血圧値を検出後、ステップＳ１１では、制御部１２０は排気バルブ１１２を作動して阻血用空気袋１４と２つのＫ音検出用空気袋５０内のエアを抜き、急速排気する。
ステップＳ１２では、制御部１２０は、スピーカ８５を通じてステップＳ５において行われた音楽再生動作を停止させる。そして、ステップＳ１３では、被測定者の得られた最高血圧値と最低血圧値は、例えば図１に例示するように表示部６３においてデジタル表示することができる。これにより、被測定者は表示部６３において大きく表示された最高血圧値と最低血圧値等の数値を目視で確認できる。
【００５１】
一方、図７において、被測定者が、被測定者が開始／停止スイッチ８８を押した後、機能選択キー４００を続けてある一定時間以上長押しすると、ステップＳ２０に示す通常測定モードＮＭを選択することができる。
通常測定モードＮＭを選択すると、図７のステップＳ４の加圧開始動作に自動的に進む。ステップＳ４では、図１の血圧計１により血圧測定を開始して腕帯部２により上腕Ｔを加圧して通常の血圧測定を行う。このように血圧を測定するために上腕Ｔを自動的に加圧開始すると、ステップＳ５では、図５の制御部１２０は、スピーカ８５を通じて、さらに被測定者に対してリラックスできる音楽データを再生して流す。これにより、被測定者は、ステップＳ６からステップＳ１１における血圧測定動作の際に音楽を聞くことができるので、被測定者はリラックス状態を保つことができ、正確な血圧測定を実施できることになる。つまり、血圧を測定中においても、被測定者は音楽を聞きながら精神的なリラックス状態を維持することができるので、安静の実現を図り、血圧の降圧を実現して、自律神経安定化の実現を図り、正確な血圧測定が行える。
【００５２】
図７のステップＳ６では、図５の制御部１２０は、制御バルブ１１１と２つの駆動ポンプ１１０を作動させて、阻血用空気袋１４にエアを供給して、上腕を図６の時点ｔ１まで加圧する。この加圧の際にステップＳ７において脈が消失すると、ステップ８では、加圧を停止して、ステップＳ９では、制御部１２０は制御バルブ１１１を作動して阻血用空気袋１４内のエア圧を傾きが一定になるように減圧させていく。
そして、ステップＳ１０では、この減圧させる途中では、図５に示すコンデンサマイクロフォン１２５は、コロトコフ音（Ｋ音）を検出することで最高血圧値と最低血圧値を決定する。最高血圧値と最低血圧値を検出後、ステップＳ１１では、制御部１２０は排気バルブ１１２を作動して阻血用空気袋１４と２つのＫ音検出用空気袋５０内のエアを抜き、急速排気する。
ステップＳ１２では、制御部１２０は、スピーカ８５を通じてステップＳ５において行われた音楽再生動作を停止させる。そして、ステップＳ１３では、被測定者の得られた最高血圧値と最低血圧値は、例えば図１に例示するように表示部６３においてデジタル表示することができる。これにより、被測定者は表示部６３において大きく表示された最高血圧値と最低血圧値等の数値を目視で確認できる。
【００５３】
ところで、すでに説明したように、このＫ音は、腕帯部２の阻血用空気袋１４の内圧を最高血圧値以上に上げて血管を一旦圧閉した後、内圧を徐々に下げて内圧が最高血圧値以下になり、血管が開き始めると発生し、内圧が最低血圧値以下になり、血管の圧閉が消失するまでの間検出できる音信号である。図５に示すコンデンサマイクロフォン１２５が、図７のステップＳ５からステップＳ１１において血圧測定中に、スピーカ８５から出るリラックス用の音楽をノイズとして拾ってしまった場合には、図５に示すコンデンサマイクロフォン１２５により検出されたＫ音と、スピーカ８５から出るリラックス用の音楽は、音楽ノイズ除去フィルタ７００を通る。
【００５４】
しかし、この音楽ノイズ除去フィルタ７００は、コンデンサマイクロフォン１２５に入った音の中から、Ｋ音の周波数範囲だけを通して、Ｋ音以外の音楽ノイズの周波数範囲を除去することができる。すなわち、Ｋ音の周波数範囲は、好ましい例では４０Ｈｚ〜５９Ｈｚであるのに対して、除去したい音楽ノイズ（音楽メロディノイズ）の周波数範囲は、さらに高い周波数範囲である例えば６０Ｈｚ〜１００Ｈｚである。図５に示すＫ音アンプ１６１は、コンデンサマイクロフォン１２５により検出したＫ音の周波数範囲だけを増幅して制御部１２０に供給することができる。
このように、音楽ノイズ除去フィルタ７００がＫ音の周波数範囲だけを通して、Ｋ音以外のリラックス用の音楽ノイズの周波数範囲を除去することにより、図７のステップＳ５からステップＳ１１において血圧測定中にスピーカ８５からリラックス用の音楽が流れている状況下であっても、制御部１２０は、ステップＳ９とステップＳ１０において、Ｋ音の検出精度を上げて血圧測定精度を向上できる。
【００５５】
上述したようにステップＳ６からステップＳ１１の各ステップでは、制御部１２０が、血圧測定時に、記憶部１５３内の音声ガイダンス内容と予め用意された音楽データを、スピーカ８５を通じて同時に被測定者に報知することができる。例えば、スピーカ８５は、最低血圧値と最高血圧値を測定開始する際に、「最低血圧値と最高血圧値を測定しています」という音声ガイダンスと、予め用意されたリラックスできる軽音楽等の音楽とともに流すこともできる。なお、ステップＳ３で流すリラックス用の音楽の種類と、ステップＳ５で再生するリラックス用の音楽の種類は同じであっても、異なるようにしても良い。
【００５６】
本発明の実施形態では、被測定者が血圧測定を行う前に、被測定者を精神的にリラックスした状態にした後に正確に血圧測定を行うことができる。すなわち、制御部１２０の指示により、腕帯部２内を加圧して被測定者の血圧を測定する前に、記憶部１５３から音楽データが読み出された音楽データに基づいて、報知部８５は被測定者に対してリラックス用の音楽を聞かせることができるので、被測定者を精神的にリラックスした状態にして安静な状態を実現して血圧の降圧を図るので、正確な血圧測定が行える。また、被測定者は、リラックスを必要とする場合にはリラックスモードを用い、そうでない場合には通常測定モードを選択して血圧測定ができる。
本発明の実施形態では、腕帯部２と血圧計本体１０が別体であることから、上腕Ｔを腕帯部２に挿入するだけで測定可能となる利便性を損なわず、血圧計本体１０の設置場所が被測定者から前方に離れていても、測定者が正しく、背を伸ばした状態にて腹圧の掛からない状態で血圧測定できる。
【００５７】
報知部は例えばスピーカ８５であり、このスピーカ８５と、測定された血圧値を表示する表示部６３とは、血圧計本体１０に配置されている。これにより、被測定者は音楽を血圧計本体１０側のスピーカ８５から聞きながら精神的にリラックスした状態で正確に血圧測定を行うことができ、得られた血圧測定結果は、血圧計本体１０側の表示部６３を目視するだけで容易に確認できる。
リラックス用の音楽や音声ガイダンス内容を報知する報知部としては、スピーカを採用しているが、スピーカの種類としては、コーン紙を振動させるコーン信号スピーカや、圧電振動体を振動させる圧電スピーカ等を採用できる。
【００５８】
ところで、本発明は上記実施形態に限定されず、本発明は様々な修正と変更が可能であり、特許請求の範囲に記載された範囲で種々の変形が可能である。
図１〜図３に示す腕帯部２は折り畳み可能な柔軟性を有する素材で作られている。しかしこれに限らず、本発明の血圧計としては、図８に示すように腕帯部２の外側がプラスチック製の剛性体２Ｗで覆われており取っ手２Ｖを備え、この剛性体２Ｗの中に図１〜図３に示す腕帯部２の柔軟性を有する積層体が内蔵されている構造を採用しても良い。
また、図示例では、腕帯部２と血圧計本体１とが別体に構成されているが、本発明の血圧計としては、腕帯部２と血圧計本体１が一体化された構造のものであっても良い。
また、図７のフロー図において、腕帯部の加圧開始後に、音楽再生することは必ずしも必要ではない。また、オシロメトリック法による血圧測定では、腕帯部の加圧開始から腕帯部の加圧停止までの間で最高血圧と最低血圧を決定するようにしてもよい。
【符号の説明】
【００５９】
１・・・血圧計、２・・・腕帯部、４・・・エアチューブ（第１エアチューブ），５・・・エアチューブ（第２エアチューブ）、６・・・エアプラグ、１０・・・血圧計本体、１１Ｐ、１１Ｒ・・・開口部、１４・・・阻血用空気袋、１６・・・外布、１７・・・内布、５０・・・Ｋ音信号を検出する２つのＫ音検出用空気袋、６３・・・表示部、８５・・・スピーカ（報知部の例）、８８・・・開始／停止スイッチ、１２０・・・制御部、１５３・・・記憶部、４００・・・機能選択キー（機能選択部の一例）
【図１】
2013027632.tif 000003
【図２】
2013027632.tif 000004
【図３】
2013027632.tif 000005
【図４】
2013027632.tif 000006
【図５】
2013027632.tif 000007
【図６】
2013027632.tif 000008
【図７】
2013027632.tif 000009
【図８】
2013027632.tif 000010